(57)【要約】      （修正有）【課題】客席から見えにくい位置で容易に作業ができ、さらにはミスなくセッティングできる工夫がなされたピアノペダル操作装置を提供する。【解決手段】演奏者Ｐが足を置く足置板２２と、足置板２２の高さを調節する昇降具と、足置板２２上において揺動可能に設けられた補助ペダル２３と、上端部分が補助ペダル２３に連結されるとともに足置板２２を貫通し、補助ペダル２３が踏み込まれると下降する摺動ロッド２４と、ピアノペダル９１４の後端部分に取り付けられた連結部材４と、摺動ロッド２４と連結部材４とを接続するワイヤー３１とを備え、ワイヤー３１は、補助ペダル２３が踏み込まれて摺動ロッド２４が下降すると、連結部材４を持ち上げ、ピアノペダル９１４の支軸９１５を中心にピアノペダル９１４を踏み込まれた状態に押し下げるものである。【選択図】図５
0003219294.tif 000002
【実用新案登録請求の範囲】
【請求項１】
ピアノ椅子に腰掛けた際にピアノペダルに足が届かない子供等の演奏者が使用するピアノペダル操作装置において、
前記演奏者が足を置く足置板と、
前記足置板の高さを調節する高さ調節機構と、
前記足置板上において揺動可能に設けられた補助ペダルと、
上端部分が前記補助ペダルに連結されるとともに前記足置板を貫通し、該補助ペダルが踏み込まれると下降する摺動ロッドと、
前記ピアノペダルの後端部分に取り付けられた連結部材と、
前記摺動ロッドと前記連結部材とを接続するワイヤーとを備え、
前記ワイヤーは、前記補助ペダルが踏み込まれて前記摺動ロッドが下降すると、前記連結部材を持ち上げ、前記ピアノペダルの支軸を中心に該ピアノペダルを踏み込まれた状態に押し下げるものであることを特徴とするピアノペダル操作装置。
【請求項２】
前記連結部材は、前記ピアノペダルの後端部分から後方に延在するとともに、前記ワイヤーを取り付け可能な取付部が、該後端部分から後方にかけ間隔をあけて複数設けられたものであり、
前記ワイヤーは、前記複数の取付部のうちのいずれか１つに取り付けられるものであることを特徴とする請求項１記載のピアノペダル操作装置。
【請求項３】
前記高さ調節機構は、高さ調節の操作を行う操作部材が、前記ピアノ椅子に腰掛けた状態の前記演奏者から見て左側に設けられたものであり、
前記足置板は、前記演奏者が足を置く上面の高さを表示するメジャーを有するものであることを特徴とする請求項１又は２記載のピアノペダル操作装置。
【考案の詳細な説明】
【技術分野】
【０００１】
本考案は、ピアノ椅子に腰掛けた際にピアノペダルに足が届かない子供等が演奏する際に使用するピアノペダル操作装置に関する。
【背景技術】
【０００２】
グランドピアノやアップライトピアノには、ダンパーを開放するダンパーペダル等のピアノペダルが設けられている。ピアノ椅子に腰掛けた際にピアノペダルに足が届かない子供等がピアノを演奏する際には、補助ペダル装置（例えば特許文献１等参照）や、アシストペダル（例えば特許文献２等参照）が使用されている。
【０００３】
特許文献１記載の補助ペダル装置は、昇降自在な足置板と、補助ペダルと、上方に付勢されるとともに上端が補助ペダルに当接し補助ペダルが踏み込まれると下降する摺動ロッドと、摺動ロッドの下端に取り付けられピアノペダルの上面に当接する当接金具を備えている。この補助ペダル装置によれば、ピアノペダルに足が届かない子供が演奏する場合であっても、補助ペダルを踏み込めば摺動ロッドが下降し、当接金具を介してピアノペダルを押し下げることができる。
【０００４】
また、特許文献２記載のアシストペダルは、ピアノペダルに固定される固定部と、この固定部から延在するとともに伸縮して長さ調整を可能にした延在部と、延在部の先端を屈曲させて演奏者の足による踏み込み力を受けるように形成した伝達部とを備えたものである。このアシストペダルによれば、ピアノペダルに足が届かない子供が演奏する場合であっても、延在部によってかさ上げされた伝達部を踏み込めば、ピアノペダルを押し下げることができる。
【０００５】
ピアノの発表会やコンクールにおいては、ピアノとの位置合わせを行い、また、演奏者が交代する度に、先生や父兄が、演奏する子供に合わせて、足置板の高さ調整や、ピアノペダルと当接金具との調整等を行って補助ペダル等をセッティングしている。
【先行技術文献】
【特許文献】
【０００６】
【特許文献１】実用新案登録第３１２３４２２号公報
【特許文献２】特開２００１−０５６６８０号公報
【考案の概要】
【考案が解決しようとする課題】
【０００７】
しかしながら、補助ペダル等のセッティングは、舞台上で客席からの沢山の視線を受けながらの作業であり焦ってしまう。また、ステージ上は靴を履いているため家庭とは異なる調整が必要になる。さらに、特許文献１記載の補助ペダル装置では、足置板の高さを調整した上で、ピアノの下にもぐり込み、当接金具が丁度良い加減でピアノペダルに当接するようにかなり苦しい体勢で調整しなければならない。また、特許文献２記載のアシストペダルにおいても、固定部にピアノペダルを固定する作業は、苦しい体勢を強いられ慣れない者にとってはかなり難しい作業である。このため、作業に時間がかかり、中にはピアノに頭をぶつけたりしてしまう場合もある。さらには、ピアノペダルとの微妙な調整が必要であり、また、足置板の高さを調整しただけで、ピアノペダルとの調整を忘れてしまう場合もある。このため、時には演奏が始まったらペダルがかかりっぱなしになったり、あるいは補助ペダル等を踏んでも効果が出ないといったセッティングのミスも少なくない。これらの結果、補助ペダル等をセッティングする作業は、父兄や先生が汗だくで奮闘しているのが現状であり、父兄等にとって精神的にも肉体的にもかなりの負担になっている。このため、スマートにスピィーディーに、かつミスなくセッティングできる手段が望まれている。
【０００８】
本考案は前記事情に鑑み、客席から見えにくい位置で容易に作業ができ、さらにはミスなくセッティングできる工夫がなされたピアノペダル操作装置を提供することを目的とする。
【課題を解決するための手段】
【０００９】
前記目的を解決する本考案のピアノペダル操作装置は、ピアノ椅子に腰掛けた際にピアノペダルに足が届かない子供等の演奏者が使用するピアノペダル操作装置において、
前記演奏者が足を置く足置板と、
前記足置板の高さを調節する高さ調節機構と、
前記足置板上において揺動可能に設けられた補助ペダルと、
上端部分が前記補助ペダルに連結されるとともに前記足置板を貫通し、該補助ペダルが踏み込まれると下降する摺動ロッドと、
前記ピアノペダルの後端部分に取り付けられた連結部材と、
前記摺動ロッドと前記連結部材とを接続するワイヤーとを備え、
前記ワイヤーは、前記補助ペダルが踏み込まれて前記摺動ロッドが下降すると、前記連結部材を持ち上げ、前記ピアノペダルの支軸を中心に該ピアノペダルを踏み込まれた状態に押し下げるものであることを特徴とする。
【００１０】
本考案のピアノペダル操作装置によれば、前記連結部材を前記ピアノペダルに一旦取り付けてしまえば、演奏する子供が交代するときには、演奏する子供の体格に合わせて前記足置板の高さを調整するだけでよい。このため、構造把握と慣れが必要な、ピアノペダルとの調整作業を、演奏する子供が交代する都度行う必要がなくなって作業が容易になるとともに、セッティングのミスを大幅に軽減することができる。
【００１１】
また、本考案のピアノペダル操作装置は、ピアノペダルをいわば遠隔操作をするものであるため、ピアノペダルの位置に拘束されず、前記ワイヤーがとどく範囲で移動させることができる。このため、足置板の高さを調整する作業は、客席から見えにくい位置で行うこともできる。さらに、前記ピアノペダル操作装置を使用しない場合には、邪魔にならない場所に避けておくだけで良いため、前記ピアノペダル操作装置を取り付けたままで、発表会を進めることができる。またさらに、２〜４人で連弾する場合には、低音を弾く左側の演奏者が、ダンパーペダル（ピアノペダル）を受け持つ場合が多いが、本考案のピアノペダル操作装置によれば、左側の演奏者に合わせて位置を調整することができる。さらにまた、子供が先生からレッスンを受ける場合に、例えば、子供が前記ピアノペダルに足を載せた状態で、先生が前記補助ペダルを踏み込むようにすれば、該ピアノペダルを踏み込むタイミングを子供に効率的に体感させることができる。
【００１２】
本考案のピアノペダル操作装置において、前記連結部材は、前記ピアノペダルの後端部分から後方に延在するとともに、前記ワイヤーを取り付け可能な取付部が、該後端部分から後方にかけ間隔をあけて複数設けられたものであり、
前記ワイヤーは、前記複数の取付部のうちのいずれか１つに取り付けられるものであることが好ましい。
【００１３】
こうすることで、前記複数の取付部から、前記ワイヤーを取り付ける該取付部を選択し、前記ピアノペダルを押し下げる力のモーメントを調整することができる。
【００１４】
また、本考案のピアノペダル操作装置において、前記高さ調節機構は、高さ調節の操作を行う操作部材が、前記ピアノ椅子に腰掛けた状態の前記演奏者から見て左側に設けられたものであり、
前記足置板は、前記演奏者が足を置く上面の高さを表示するメジャーを有するものである態様も好ましい態様の一つである。
【００１５】
ここで、操作部材は、高速で回転させることができるハンドルであってもよい。
【００１６】
客席は、前記ピアノ椅子に腰掛けた状態の前記演奏者から見て一般的に右側になるため、前記操作部材が右側に設けられていると、該操作部材を操作して前記足置板の高さを調整する作業を、客席にお尻を向けた姿勢で行わなければならない。前記操作部材を左側に設ける態様を採用すれば、客席にお尻を向けることもなく客席から見えにくい位置で作業することができる。さらに、前記メジャーを有することで、前記足置板の高さも一目決定でき、作業時間を短縮することができる。
【考案の効果】
【００１７】
本考案のピアノペダル操作装置によれば、客席から見えにくい位置で容易に作業ができ、さらにはミスなくセッティングできる工夫がなされたピアノペダル操作装置を提供することができる。
【図面の簡単な説明】
【００１８】
【図１】本考案のピアノペダル操作装置を、グランドピアノに設置した様子を示す側面図である。
【図２】図１に示す、ピアノペダル操作装置とペダル機構を抜き出すとともに、拡大して示す図である。
【図３】（ａ）は、図１及び図２に示す装置本体を拡大して示す図であり、（ｂ）は、（ａ）に示す装置本体を紙面の奥側から見た図である。
【図４】（ａ）は、図３（ａ）に示す装置本体を左側から見た図であり、（ｂ）は、図３（ａ）に示す装置本体を右側から見た図である。
【図５】図２に示すピアノペダル操作装置の補助ペダルが、演奏者によって踏み込まれた様子を示す図である。
【考案を実施するための形態】
【００１９】
以下、図面を参照して本考案の実施の形態を説明する。
【００２０】
以下に説明する実施形態では、グランドピアノに本考案のピアノペダル操作装置１を設ける態様を例に挙げて説明する。なお、本考案のピアノペダル操作装置１は、アップライトピアノ等の他のピアノにも適用できるものである。
【００２１】
図１は、本考案のピアノペダル操作装置１を、グランドピアノ９（以下、単にピアノ９と称する。）に設置した様子を示す側面図である。また、図１では、ピアノ椅子Ｃに少女の演奏者Ｐが腰掛けた様子を示すとともに、ピアノ９の後側の部分を省略している。なお、以下では、図１における左側（演奏者Ｐが位置する側）を前側とし、図１における右側（演奏者Ｐが位置する側と反対側）を後側とし、図１と直交する方向を横方向と称して説明する。
【００２２】
図１に示すように、ピアノ９は、棚板９３の下面に固定されるとともに左右方向に配置された一対の脚柱９２と、一対の脚柱９２の間に設けられたペダル機構９１とを備えている。なお、図１では、図面の奥側の脚柱９２は隠れている。ピアノペダル操作装置１は、ピアノ椅子Ｃに腰掛けた演奏者Ｐの足下に配置された装置本体２と、ペダル機構９１における、詳しくは後述するピアノペダル９１４に取り付けられた連結部材４と、装置本体２と連結部材４とを接続するワイヤー部材３とを備えている。
【００２３】
図２は、図１に示す、ピアノペダル操作装置１とペダル機構９１を抜き出すとともに、拡大して示す図である。
【００２４】
図２に示すように、ペダル機構９１は、ペダル笠木９１１と、ペダル笠木９１１の下面に固定されたペダル柱９１２と、ペダル柱９１２の下端部分に固定されたペダル箱９１３と、ペダル箱９１３に中間部分が収容されたピアノペダル９１４とを備えている。ピアノペダル９１４は、支軸９１５を中心に揺動するものであり、ピアノペダル９１４の後端部分には、ペダル突上げ棒９１６が差し込まれた状態で立設している。図２のピアノペダル９１４はダンパーペダルを示しており、このピアノペダル９１４を踏み込むと、ペダル突上げ棒９１６が持ち上がり、不図示のダンパー機構が操作されてダンパーが開放される。なお、ピアノ９では左右方向に３つのピアノペダルが設けられ、演奏者Ｐから見て右側がダンパーペダルであり、中央には、押鍵した鍵盤のダンパーだけを開放するソステヌートペダル、左側には、ハンマーの打弦の位置をずらすシフトペダル等のピアノペダルが設けられている。ここで、ソステヌートペダルやシフトペダルは上級者が使用するペダルであり、ピアノペダルに足が届かないような子供は通常使用しない。このため、本実施形態では、ダンパーペダルのみを図示して説明している。
【００２５】
連結部材４は、前後方向に延在した連結金具４１を備えている。この連結金具４１は、平板が９０度ひねられたひねり金物であり、前側に位置し水平姿勢の水平部４１１と、水平部４１１から後方に延在し垂直姿勢の垂直部４１２とを有している。連結金具４１は、水平部４１１が、ピアノペダル９１４の後端部分に第１ホースバンド４３によって取り付けられている。連結金具４１の垂直部４１２には、前後方向に所定の間隔をあけて複数（図では５つ）の取付孔４１２ａが設けられている。取付孔４１２ａは、ピアノペダル９１４の後端部分から後方にかけ間隔をあけて複数設けられた取付部の一例に相当するものである。連結金具４１をピアノペダル９１４に取り付けるには、まず、ペダル突上げ棒９１６を持ち上げて、ピアノペダル９１４から外し、第１ホースバンド４３を、ピアノペダル９１４の後端側から挿入する。次いで、連結金具４１の水平部４１１を第１ホースバンド４３に挿入した後、ペダル突上げ棒９１６を持ち上げ、ピアノペダル９１４に嵌め込んで戻す。そして、第１ホースバンド４３によって、ピアノペダル９１４の後端部分と連結金具４１の水平部４１１とを固定すればよい。
【００２６】
ワイヤー部材３は、チューブ３２と、チューブ３２に挿通されたワイヤー３１とを備えている。ワイヤー３１は、チューブ３２よりも長さが長いものであり、一端側３１ａが、連結金具４１の取付孔４１２ａに挿通され蝶ねじ４２によって連結金具４１に取り付けられている。また、ワイヤー３１の他端側３１ｂには挿入片３５が設けられ、この挿入片３５が、詳しくは後述する装置本体２における挿入部２４１に挿入され蝶ねじによって固定されている。
【００２７】
チューブ３２は、一端側部分３２ａがクリップ３３によってペダル笠木９１１の凹部９１１ａに取り付けられ、他端側部分３２ｂが、詳しくは後述する装置本体２におけるガイド筒２５に第２ホースバンド３４によって取り付けられている。
【００２８】
次いで、図３及び図４を用いて、装置本体２について説明する。
【００２９】
図３（ａ）は、図１及び図２に示す装置本体２を拡大して示す図であり、図３（ｂ）は、同図（ａ）に示す装置本体２を紙面の奥側から見た図である。すなわち、図１及び図２に示す演奏者Ｐを基準にすると、図３（ａ）は、演奏会等では客席側となる右側から見た図であり、同図（ｂ）は、演奏会等ではステージの奥側となる左側から見た図である。図４（ａ）は、図３（ａ）に示す装置本体２を左側（演奏者Ｐ側）から見た図であり、図４（ｂ）は、図３（ａ）に示す装置本体２を右側（演奏者Ｐとは反対側）から見た図である。
【００３０】
装置本体２は、特許文献１等に示す従来の補助ペダル装置と基本的な構造は同じである。以下、特許文献１等に示す従来の補助ペダル装置との違いを中心に説明する。
【００３１】
図３及び図４に示すように、装置本体２は、台枠２１と、足置板２２と、足置板２２の高さを調整する昇降具２６と、足置板２２上において揺動可能に設けられた補助ペダル２３と、上端部分が補助ペダル２３に連結され足置板２２を貫通した摺動ロッド２４と、昇降具２６を操作するハンドル２７と、メジャー２８とを備えている。昇降具２６は、周知の平行リンク機構（パンタグラフ機構）からなるものであり、高さ調節機構の一例に相当する。また、昇降具２６は、取っ手２７１を掴んでハンドル２７を回転させることで、演奏者Ｐの体格に合わせて足置板２２の高さを調整することができる。すなわち、ハンドル２７は、操作部材の一例に相当する。ここで、本実施形態では、従来の補助ペダル装置における調節つまみ等に比べ、操作部材として大きなハンドル２７を採用しているため、素早く高さ調整を行うことができ、作業も容易になる。また、ハンドル２７は、演奏者Ｐから見て左側、すなわち演奏会等における客席側とは反対側になるため、一旦セッティングが完了した後に高さを微調整する場合であっても、客席側にお尻を向けての作業を回避することができる。さらに、メジャー２８の先端が足置板２２の下面に取り付けられ、メジャー２８の収容部２８１が台枠２１内に配置されている。このため、メジャー２８により足置板２２の高さが一目瞭然となり、足置板２２の高さ調整がより容易になる。
【００３２】
足置板２２の下面には、摺動ロッド２４をガイドするガイド筒２５が設けられ、摺動ロッド２４の下端には、挿入部２４１が設けられている。従来の補助ペダル装置では、この挿入部２４１に、ピアノペダルの上面に当接する当接金具が取り付けられるが、本実施形態では、前述したように、ワイヤー３１の挿入片３５が挿入されている。
【００３３】
図５は、図２に示すピアノペダル操作装置１の補助ペダル２３が、演奏者Ｐによって踏み込まれた様子を示す図である。
【００３４】
補助ペダル２３が踏み込まれると、ガイド筒２５にガイドされつつ摺動ロッド２４が下降する。これに伴い、摺動ロッド２４に接続されているワイヤー３１の他端側３１ｂも下降し、ワイヤー３１が他端側に引っ張られる。これにより、連結金具４１が持ち上げられるとともに、支軸９１５を中心にピアノペダル９１４が揺動し、踏み込まれた状態に押し下げられる。その結果、ペダル突上げ棒９１６が持ち上がり、不図示のダンパー機構が操作されてダンパーが開放される。
【００３５】
ピアノペダル操作装置１によれば、連結部材４をピアノペダル９１４に一旦取り付けてしまえば、演奏者Ｐが交代するときには、交代する子供の体格に合わせて足置板２２の高さを調整するだけでよい。このため、作業が容易になるとともに、セッティングのミスを大幅に軽減することができる。また、ピアノペダル操作装置１は、ピアノペダル９１４をいわば遠隔操作をするものであるため、ピアノペダル９１４の位置に拘束されず、ワイヤー３１がとどく範囲で移動させることができる。このため、足置板２２の高さを調整する作業は、客席から見えにくい位置で行うこともできる。さらに、ピアノペダル操作装置１を使用しない場合には、邪魔にならない場所に避けておくだけで良いため、ピアノペダル操作装置１を取り付けたままで、発表会を進めることができる。またさらに、２〜４人で連弾する場合には、左側の演奏者Ｐに合わせて位置を調整することができる。さらにまた、子供が先生からレッスンを受ける場合に、例えば、子供がピアノペダル９１４に足を載せた状態で、先生が補助ペダル２３を踏み込むようにすれば、ピアノペダル９１４を踏み込むタイミングを子供に効率的に体感させることができる。またさらに、複数の取付孔４１２ａからワイヤー３１を取り付ける取付孔４１２ａを選択し、ピアノペダル９１４を押し下げる力のモーメントを調整することができる。
【００３６】
以上説明したピアノペダル操作装置１によれば、客席から見えにくい位置で容易に作業ができ、さらにはセッティングのミスを軽減することができる。
【００３７】
本考案は前述した実施形態に限られることなく実用新案登録請求の範囲に記載した範囲で種々の変更を行うことができる。例えば、前述した実施形態では、クリップ３３を、ペダル笠木９１１の凹部９１１ａに取り付けているが、クリップ３３を取り付ける箇所は特に限定されるものではなく、適宜の場所にとりつければよい。また、クリップ３３以外の取付部材を用いてもよい。さらに、図４（ａ）に示す、左側の補助ペダル２３に連結した摺動ロッド２４と、ソステヌートペダル、あるいはシフトペダルとを、ワイヤー部材３及び連結部材４によって接続してもよい。
【符号の説明】
【００３８】
１  ピアノペダル操作装置
２  装置本体
２１  台枠
２２  足置板
２３  補助ペダル
２４  摺動ロッド
２６  昇降具
２７  ハンドル
２８  メジャー
３  ワイヤー部材
３１  ワイヤー
３２  チューブ
３３  クリップ
４  連結部材
４１  連結金具
４１２ａ  取付孔
９  グランドピアノ（ピアノ）
９１  ペダル機構
９１４  ピアノペダル
Ｐ  演奏者
【図１】
0003219294.tif 000003
【図２】
0003219294.tif 000004
【図３】
0003219294.tif 000005
【図４】
0003219294.tif 000006
【図５】
0003219294.tif 000007